(57)【要約】【課題】太陽電池パネルを容易に設置することができ、しかも太陽電池パネルの表面よりを上面側に延出する雪止め具等の突出部を、太陽電池パネル自体の強度を低下させること無く容易に取り付けることができる太陽電池パネルの設置構造、及びその施工方法を提供する。【解決手段】本発明は、下地５に固定された取付材１と、取付材１に、その一方側に載置もしくは沿設する太陽電池パネル２と、太陽電池パネル２の対向する一方側を押さえて取付材１に固定される押さえ材３と、からなり、取付材１又は押さえ材３に太陽電池パネル２表面より上面側に延出する突出部４を設けたことを特徴とする。【選択図】図１
2014066020.tif 000002
【特許請求の範囲】
【請求項１】
下地に固定された取付材と、該取付材に、その対向する一方側を載置又は沿設する太陽電池パネルと、該太陽電池パネルの対向する一方側を押さえて前記取付材に固定される押さえ材と、からなり、
前記取付材又は前記押さえ材に前記太陽電池パネル表面より上面側に延出する突出部を設けたことを特徴とする太陽電池パネルの設置構造。
【請求項２】
突出部を設けた取付材又は押さえ材は連続材であることを特徴とする請求項１に記載の太陽電池パネルの設置構造。
【請求項３】
対向する一方側は水上側であることを特徴とする請求項１又は２に記載の太陽電池パネルの設置構造。
【請求項４】
太陽電池パネルの対向する他方側を固定部材にて押さえ保持することを特徴とする請求項１〜３の何れか一項に記載の太陽電池パネルの設置構造。
【請求項５】
請求項１〜４の何れか一項に記載の太陽電池パネルの設置構造を施工する方法であり、
下地に取付材を固定する第１工程の後、
前記取付材に、太陽電池パネルの対向する一方側を載置又は沿設する工程と、
前記太陽電池パネルの対向する一方側を押さえる押さえ材を前記取付材に固定する工程と、を行い、
前記取付材又は前記押さえ材に突出部を設け、前記太陽電池パネル表面より上面側に延出させることを特徴とする太陽電池パネルの設置構造の施工方法。
【発明の詳細な説明】
【技術分野】
【０００１】
本発明は、太陽電池パネルを容易に設置することができ、しかも太陽電池パネルの表面より上面側に延出する雪止め具等の突出部を、太陽電池パネル自体の強度を低下させること無く容易に取り付けることができる太陽電池パネルの設置構造、及びその施工方法に関する。
【背景技術】
【０００２】
太陽電池を屋根上に設置或いは屋根材として敷設した場合、降雪等による積雪に対し、以下のような対策が取られている。
例えば特許文献１には、太陽電池瓦１の軒側に固定した横フレーム２ｂに雪止め具５を固定する構成が記載され、特許文献２には、太陽電池モジュール１０の水下側に雪止部材１６０を配設した構造が記載され、特許文献３には、雪止部１ｂ及び回転防止部ｂｃを有する雪止め部材１を、フレーム部材３を介して太陽電池モジュール２に固定する構成が記載されている。
【先行技術文献】
【特許文献】
【０００３】
【特許文献１】特許第３７００６４６号公報
【特許文献２】特開２００９−２９９４５１号公報
【特許文献３】特開２００６−２７８６７１号公報
【発明の概要】
【発明が解決しようとする課題】
【０００４】
しかしながら、前記特許文献１〜３等に記載の提案では、雪止め具自体に固定部が設けられ、該固定部をフレーム等に固定する構成であるため、雪止め具に積雪や雪の滑落等の荷重が作用してフレーム等の変形や強度低下などを引き起こすおそれがあった。
また、前記提案では、前記雪止め具で雪の滑落を防ぐものであるが、雪の滑落を防ぐことにより積雪部分が太陽電池の受光面積を減少させ、その結果、発電量の低下に繋がるという問題もあった。
【０００５】
そこで、本発明は、太陽電池パネルを容易に設置することができ、しかも太陽電池パネルの表面よりを上面側に延出する雪止め具等の突出部を、太陽電池パネル自体の強度を低下させること無く容易に取り付けることができる太陽電池パネルの設置構造、及びその施工方法を提案することを目的とする。
【課題を解決するための手段】
【０００６】
本発明は、上記に鑑み提案されたもので、下地に固定された取付材と、該取付材に、その対向する一方側を載置又は沿設する太陽電池パネルと、該太陽電池パネルの対向する一方側を押さえて前記取付材に固定される押さえ材と、からなり、前記取付材又は前記押さえ材に前記太陽電池パネル表面より上面側に延出する突出部を設けたことを特徴とする太陽電池パネルの設置構造に関するものである。
【０００７】
また、本発明は、前記太陽電池パネルの設置構造において、突出部を設けた取付材又は押さえ材は連続材であることを特徴とする太陽電池パネルの設置構造をも提案する。
【０００８】
また、本発明は、前記太陽電池パネルの設置構造において、対向する一方側は水上側であることを特徴とする太陽電池パネルの設置構造をも提案する。
【０００９】
また、本発明は、前記太陽電池パネルの設置構造において、太陽電池パネルの対向する他方側を固定部材にて押さえ保持することを特徴とする太陽電池パネルの設置構造をも提案する。
【００１０】
さらに、本発明は、前記太陽電池パネルの設置構造を施工する方法であって、下地に取付材を固定する第１工程の後、前記取付材に、太陽電池パネルの対向する一方側を載置又は沿設する工程（以下、パネル敷設工程という）と、前記太陽電池パネルの対向する一方側を押さえる押さえ材を前記取付材に固定する工程（以下、押さえ材取付工程という）と、を行い、前記取付材又は前記押さえ材に突出部を設け、前記太陽電池パネル表面より上面側に延出させることを特徴とする太陽電池パネルの設置構造の施工方法をも提案するものである。
【発明の効果】
【００１１】
本発明の太陽電池パネルの設置構造は、太陽電池パネル表面より上面側に延出する突出部が、取付材又は押さえ材に設けられているため、突出部に作用する例えば積雪や雪の滑落、風の吹き付け等の荷重を下地に負担させることができる。そのため、従来構造のように雪止め具に作用する荷重を、太陽電池パネルを構成するフレーム等に作用させて変形や強度低下を引き起こすことが決してない。また、太陽電池パネルを構成するフレーム等の形状や寸法などに影響されることなく強固に固定できるので、各種の太陽電池パネルに対して適用できる。
【００１２】
また、突出部を設けた取付材又は押さえ材が連続材である場合には、突出部の長さを長く連続状に形成することもできるため、必要に応じて雪止め作用等を増強することも可能となる。
【００１３】
また、対向する一方側は水下側であって、対向する他方側は水上側である場合には、太陽電池パネルの水上端を取付材に載置又は沿設すると共に押さえ材にて保持する構造となり、上方へ延出する突出部も太陽電池パネルの水上端に設けられる構造となる。したがって、突出部にて雪や雨水を、太陽電池パネルの水上端側から裏面空間に落としたり、流下させることができるため、雪の堰き止めが生ずることがなく、該堰き止め（にて遮光されること）による効率低下を防ぐこともできる。
さらに、前記突出部は、太陽電池パネルの裏面空間内の空気を排出する作用も果たすので、太陽電池パネルの裏面空間内の排熱が円滑に行え、太陽電池セルの発電効率の低下を抑制することができる。
しかも、この裏面空間の排熱が太陽電池パネル間又はその裏面空間に落とした雪を円滑に溶かし、逆に裏面空間に落とされた雪が裏面空間の温度上昇の抑制に寄与するものとなる。
【００１４】
さらに、太陽電池パネルの設置構造の施工方法は、下地に取付材を固定する第１工程の後、パネル敷設工程と押さえ材取付工程との何れを先に行ってもよく、何れにしても下地に先に取付材を取り付けた後に太陽電池パネルを配設するので、極めて容易に太陽電池パネルを配設することができ、少なくとも対向方向におけるズレを生ずること無く適正な位置に配設することができる。
【図面の簡単な説明】
【００１５】
【図１】（ａ）本発明の第１実施例の太陽電池パネルの設置構造を施工する方法における第１工程を示す断面図、（ｂ）そのパネル敷設工程と押さえ材取付工程とを示す断面図、（ｃ）施工された太陽電池パネルの設置構造（第１実施例）の要部を示す断面図である。
【図２】第１実施例に用いた取付材等を示す斜視図である。
【図３】（ａ）本発明の別の実施例（第２実施例）の太陽電池パネルの設置構造を施工する方法における第１工程を示す断面図、（ｂ）施工された太陽電池パネルの設置構造（第２実施例）の要部を示す断面図、（ｃ）別の実施例（第３実施例）の太陽電池パネルの設置構造の要部を示す断面図、（ｄ）別の実施例（第４実施例）の太陽電池パネルの設置構造の要部を示す断面図、（ｅ）別の実施例（第５実施例）の太陽電池パネルの設置構造の要部を示す断面図、（ｆ）別の実施例（第６実施例）の太陽電池パネルの設置構造の要部を示す断面図である。
【発明を実施するための形態】
【００１６】
本発明の太陽電池パネルの設置構造は、下地に固定された（Ａ）取付材と、該取付材に、その対向する一方側（例えば水上側とする）を載置又は沿設する（Ｂ）太陽電池パネルと、該太陽電池パネルの対向する一方側（この場合も水上側となる）を押さえて前記取付材に固定される（Ｃ）押さえ材と、からなり、前記取付材又は前記押さえ材に前記太陽電池パネル表面より上面側に延出する突出部を設けたことを特徴とする。
この構成により、太陽電池パネル表面より上面側に延出する突出部が、取付材又は押さえ材に設けられているため、突出部に作用する積雪や雪の滑落等の荷重を下地に負担させることができる。そのため、従来構造のように雪止め具に作用する荷重を、太陽電池パネルを構成するフレーム等に作用させて変形や強度低下を引き起こすことがない。また、太陽電池パネルを構成するフレーム等の形状や寸法などに影響されることなく強固に固定できるので、広範な各種の太陽電池パネルに対して適用でき、実用的価値が高い。以下、本発明に用いる（Ａ）取付材、（Ｂ）太陽電池パネル、及び（Ｃ）押さえ材について説明する。
【００１７】
（Ａ）取付材
本発明に用いる取付材は、既存屋根や既存屋根に取り付けられる架台等の下地に取り付けられるものであり、ピース材又は通し材（連続材）からなり、太陽電池パネルの端縁が載置状又は沿設状に配設されるものである。
【００１８】
また、前記下地は、前述のように太陽電池パネルを敷設する既存の瓦、スレート、金属等の公知の屋根であっても、これらの既存屋根に取り付けられる鋼材等を組み合わせた架台等であってもよい。後述する（Ｂ）太陽電池パネルは、この下地上に空間（裏面空間）を介して取り付けられ、この裏面空間は少なくとも流れ方向に連通している。また、この裏面空間は、取付材を取り付けた（下地の）取付箇所より下方部分をも含む。
【００１９】
（Ｂ）太陽電池パネル
本発明に用いる太陽電池パネルは、前述のように平面形状を略矩形状に形成されるものであって、二対の対向する端縁が形成されるが、前記（Ａ）取付材に、その対向する一方側の端縁を載置又は沿設する。なお、前記「対向する一方側」とは、この太陽電池パネルを敷設した状態において対向する辺の一方側を指すものであり、原則的にはパネルの敷設方向と大凡一致するが、実質的にパネル自体の長辺とか短辺とかを指すものと見なしても何等支障はない。要するに太陽電池パネルの何れの端縁でもよいが、前記（Ａ）取付材に載置又は沿設する側の端縁と、後述する（Ｃ）押さえ材にて押さえ保持される端縁とが、同じ端縁であることを示している。したがって、当然のことながら予め太陽電池パネルの配設方向は施工以前に特定され、それに応じて取付材や押さえ材の形状等も決定しているので、施工に際して任意に端縁を変更されるものではない。そして、その敷設方向は、下地の流れ方向でも桁行き方向でもよく、或いは流れ方向（傾斜）が明瞭でない略平坦状に敷設する場合などには、それらに限定するものではない。
この太陽電池パネルは、結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。
また、太陽電池パネルは、上記のモジュール、シート、ボード等をそのまま敷設するものでも、周縁に枠体（フレーム）を配して敷設するものでもよい。
さらに、発電量を増大させるために両面受光（発電）型の太陽電池を用いてもよく、この場合、太陽電池の裏面側に反射部を介在させればよく、下地が兼用するものでも別途設けるものでもよい。
そして、この太陽電池パネルは、太陽電池セルやモジュールの周縁に枠体（フレーム）を配した状態で製品とされており、前述のように雪止め具等をフレームに取り付ける仕様は、フレームの強度低下の観点から到底看過されないことが多い。
【００２０】
（Ｃ）押さえ材
本発明に用いる押さえ材は、前記（Ｂ）太陽電池パネルの対向する一方側の端縁を押さえる部材を指し、前記（Ａ）取付材に固定されるものである。例えば前記取付材に、太陽電池パネルの水上側の端縁を沿わせて配設した場合には、太陽電池パネルの水上側の端部をこの押さえ材にて押さえるように配設して固定する。即ち（Ａ）取付材に載置又は沿設させた側の（Ｂ）太陽電池パネルの端縁をこの（Ｃ）押さえ材にて固定するものである。その固定方法は、ビス等による直止め、ボルトナットによる締着、係合や嵌合等の公知の固定方法であればよい。また、この押さえ材はピース材であっても通し材（連続材）であってもよい。
【００２１】
さらに、本発明に用いる突出部は、前述のように前記構成の（Ａ）取付材又は前記構成の（Ｃ）押さえ材に一体に形成されるものであっても、突出部を備える別部材を（Ａ）取付材又は（Ｃ）押さえ材に組み付ける（取り付ける）ものであってもよい。別部材を取り付ける場合、その取付方法、ビス等による直止め、ボルトナットによる締着、係合、嵌合等が想定される。また、突出部は、連続材が好ましいが、雪止め、空気の排出効果が得られれば必ずしも連続材に限定するものではない。
また、この突出部は、前述のように雪止め、空気の排出効果を目的に設けられるものであるから、例えば流れ方向が明らかである下地、即ち勾配のある下地に対して太陽電池パネルを配設する場合には水上側に設けることが好ましいが、例えば略平坦状の下地、即ち勾配が殆ど無い下地に対して太陽電池パネルを配設する場合には、設置条件（風向き等）を考慮して設ければよい。
【００２２】
本発明では、前記（Ａ）取付材に（Ｂ）太陽電池パネルの対向する一方側を配設し、この（Ｂ）太陽電池パネルの対向する一方側を（Ｃ）押さえ材にて押さえる（＝保持する）構成であり、（Ｂ）太陽電池パネルの対向する他方側については特に限定しないが、後述する図示実施例に示すように固定部材等にて保持すればよい。
【００２３】
そして、本発明では、前述のように（Ｂ）太陽電池パネル表面より上面側に延出する突出部が、（Ａ）取付材又は（Ｃ）押さえ材に設けられている構成であるため、突出部に作用する例えば積雪や雪の滑落、風の吹き付け等の荷重を、太陽電池パネルを構成するフレーム等に作用させずに、下地に負担させることができる。そのため、太陽電池パネルの変形や強度低下を引き起こすことがなく、また太陽電池パネルを構成するフレーム等の形状や寸法などに影響されることなく強固に固定できるので、各種の太陽電池パネルに対して適用できる。
なお、前述のように太陽電池パネルの裏面空間は、取付材の取付箇所（固定部）より下方部分をも含み、下地との間隔空間を指す。
【００２４】
また、特に対向する一方側が水下側であって、対向する他方側が水上側である場合には、太陽電池パネルの水上端を取付材（の水下側）に載置又は沿設すると共に押さえ材にて保持する構造となり、上方へ延出する突出部も太陽電池パネルの水上端に設けられる構造となる。したがって、突出部にて雪や雨水を、太陽電池パネルの水上端側から裏面空間に落としたり、流下させることができ、雪の堰き止めが生ずることがなく、該堰き止め（にて遮光されること）による効率低下を防ぐこともできる。さらに、この突出部は、吹き付けられた風を上方に乱流を起こすように導くため、この乱流による減圧にて、太陽電池パネルの裏面空間内の空気を排出することが可能であり、太陽電池パネルの裏面空間内の排熱が円滑に行え、太陽電池セルの発電効率の低下を抑制することができる。
【００２５】
また、本発明の施工方法は、下地に取付材を固定する第１工程の後、前記取付材に太陽電池パネルの対向する一方側を載置又は沿設するパネル敷設工程と、前記太陽電池パネルの対向する一方側を押さえる押さえ材を前記取付材に固定する押さえ材取付工程と、を行うものであって、パネル敷設工程と押さえ材取付工程との何れを先に行ってもよい。
さらにその後、後述する図示実施例に示すように太陽電池パネルの対向する他方側を各種の固定部材等にて保持してもよい。
何れにしても下地に先に取付材を取り付けた後に太陽電池パネルを配設するので、極めて容易に太陽電池パネルを配設することができ、少なくとも太陽電池パネルの対向方向におけるズレを生ずること無く適正な位置に配設することができる。
【実施例１】
【００２６】
図１に示す本発明の第１実施例は、取付材１に突出部４（１５）を一体的に形成した例であって、図中に破線にて示す下地５に固定された取付材１と、該取付材１に、その対向する一方側を載置又は沿設する太陽電池パネル２と、該太陽電池パネル２の対向する一方側を押さえて前記取付材１に固定される押さえ材３と、からなる構成である。なお、図中に破線で示した下地５は、固定部１１を固定した取付箇所のレベルを示すものであって、この下方にも太陽電池パネル２の裏面空間２２は延在している。即ちフレーム２１の側方ばかりでなく、その下端より下方にも裏面空間２２は及んでいる。また、太陽電池パネル２の対向する一方側とは、図中では右側に位置する水上側を指すものである。
【００２７】
この第１実施例における取付材１は、図１や図２に示すように下地５に接地して固定具（ビス）１２にて固定する横片である固定部１１と、該固定部１１から僅かに高いレベルに形成された横片である、太陽電池パネル２の端縁（下端）を載置する載置受部１３と、太陽電池パネル２の端縁（側端）を沿わせる縦片状の沿設受部１４と、この沿設受部１４の上端からやや水上側へ傾斜する突出部４（１５）とを有する連続材である。
【００２８】
この第１実施例における太陽電池パネル２は、図１や図２に示すように平面形状を略躯体状に形成した太陽電池モジュール２０の流れ方向（図１では左から右、図２では右奥から左手前）に対向する端縁にフレーム２１，２１を一体的に取り付けた構成である。このフレーム２１は、上端に太陽電池モジュール２０の端縁を保持ずる略コ字状の保持部２１１と、該保持部２１１から下方へ延在する縦片２１２と、該縦片２１２の下端から内側へ略水平状に延在する横片２１３とからなる。
【００２９】
この第１実施例における押さえ材３は、図１（ｂ），（ｃ）に示すように略Ｌ字状のピース材であって、その横片部分が前記太陽電池パネル２の対向する一方側（図では右側）の端縁を押さえる押さえ部３１であり、その縦片部分が前記取付材１に固定具（ビス）３３にて固定される固定部３２である。
【００３０】
そして、これらの取付材１、太陽電池パネル２、及び押さえ材３からなる第１実施例の設置構造は、図１（ａ）〜（ｃ）に示す手順にて施工することができる。
【００３１】
まず、図１（ａ）に示すように第１工程として、下地５に前記構成の取付材１を固定する。具体的には取付材１の固定部１１を下地５に接地させて固定具（ビス）１２にて固定する。
【００３２】
次に、図１（ｂ）に示すように前記第１工程にて固定した取付材１に、太陽電池パネル２の対向する一方側（図では右側）の端縁を載置又は沿設するパネル敷設工程を行い、その後、配設した太陽電池パネル２の対向する一方側（図では右側）の端縁を前記構成の押さえ材３にて押さえると共に前記取付材１に固定する押さえ材取付工程を行う。
【００３３】
前記パネル敷設工程は、具体的には取付材１の載置受部１３に太陽電池パネル２の端縁の下端を載置させると共に取付材１の沿設受部１４に太陽電池パネル２の端縁の側端を沿設させるので、ズレ等を生ずることなく太陽電池パネル２を容易に適正位置に敷設することができる。
前記押さえ材取付工程は、具体的には前記構成の押さえ材３の押さえ部３１にて、太陽電池パネル２の右側の端縁（より詳しくはフレーム２１の保持部２１１の上顎部分）を押さえると共に押さえ材３の固定部３２を固定具３３にて前記取付材１の沿設受部１４に固定する。
なお、この押さえ材取付工程は、押さえ部３１と取付材１の載置受部１３との間に、太陽電池パネル２を挿入可能な空間を形成するように予め配設することにより、前記パネル敷設工程に先立って行うようにしてもよい。即ちパネル敷設工程と押さえ材取付工程とは何れを先に行うようにしてもよいし、同時に行うようにしてもよい。
【００３４】
その後、この第１実施例では、図１の右半に示すように太陽電池パネル２の対向する他方側（図では左側の）を固定部材６にて押さえ保持するようにした。
前記固定部材６は、略Ｚ字状のピース材であって、太陽電池パネル２の左側に位置する水下側の端縁を押さえる横片状の押さえ部６１を有し、断面逆Ｕ字状の台状部材７Ａに下地５の裏面側から立設させたボルト７Ｂとナットにて下地５に固定されている。
【００３５】
このように施工される第１実施例の設置構造は、太陽電池パネル２表面より上面側に延出する突出部４（１５）が、取付材１に設けられているため、突出部４（１５）に作用する例えば積雪や雪の滑落、風の吹き付け等の荷重を下地５に負担させることができる。そのため、太陽電池パネル２を構成するフレーム２１等の形状や寸法などに影響されることなく強固に固定でき、各種の太陽電池パネル２に対して適用できる。
【００３６】
また、この第１実施例では、対向する一方側は水下側であって、対向する他方側は水上側であるため、太陽電池パネル２の水上端を取付材１に載置、沿設すると共に押さえ材３にて保持する構造となり、上方へ延出する突出部４（１５）も太陽電池パネル２の水上端に設けられる構造となる。そのため、突出部４（１５）にて雪や雨水を、太陽電池パネル２の水上端側から裏面空間２２に落としたり、流下させることができるため、雪の堰き止めが生ずることがなく、該堰き止め（にて遮光されること）による効率低下を防ぐこともできる。
しかも、突出部４（１５）は、連続材である取付材１の長さ方向に連続するように設けたので、雪止め作用等が多大に増強されるものである。
【００３７】
さらに、前記突出部４（１５）は、太陽電池パネル２の裏面空間２２内の空気を排出する作用も果たすので、太陽電池パネル２の裏面空間２２内の排熱が円滑に行え、太陽電池セル２０の発電効率の低下を抑制することができる。
しかも、この裏面空間２２の排熱が太陽電池パネル２，２間又はその裏面空間２２に落とした雪を円滑に溶かし、逆に裏面空間２２に落とされた雪が裏面空間２２の温度上昇の抑制に寄与するものとなる。
【００３８】
図３（ａ），（ｂ）に示す第２実施例は、押さえ材３IIに突出部４（３４）を一体的に形成した例であって、この第２実施例における押さえ材３IIは、太陽電池パネル２の端縁を押さえる押さえ部３１と取付材１IIに固定する固定部３２が面一状に形成され、その水上側（図では左側）に傾斜状の突出部３４が設けられた構成である。なお、この押さえ材３IIは、ピース材でも連続材でもよい。
また、この第２実施例の取付材１IIは、図３（ａ）に示すように縦片状の沿設受部１４の上端に突出部１５に代えて略水平状の固定受部１６を外向きに設けた以外は前記第１実施例の取付材１とほぼ同様である。さらに、それ以外の太陽電池パネル２や固定部材６等の構成についても前記第１実施例と全く同様であるから、図面に同一符号を付して説明を省略する。
【００３９】
この第２実施例は、前述のように突出部４が押さえ材３IIに形成された構成であって、突出部４を取付材１に形成した前記第１実施例と基本的な機能は殆ど変わらない。但し、前記第１実施例では、連続材である取付材１に突出部４（１５）を設けて雪止め作用等を多大に増強させたが、この第２実施例では、押さえ材３II自体もピース材でも連続材でもよいようにしたので、必要とされる雪止め作用等に応じて適宜に選択することができる。
【００４０】
図３（ｃ）に示す第３実施例は、押さえ材３IIIに突出部４（３４'）を一体的に形成する点では、前記第２実施例と同様であるが、取付材１IIIとの固定は、取付材１IIIに一体的に保持されたボルト１ｂにナット１ｃを締着させて行われる。なお、この押さえ材３IIIに設けた突出部４（３４'）は湾曲状である。
また、この第３実施例の取付材１IIIは、前記第２実施例における略平坦状の固定受部に代えて、上方に開放する溝部１７を設け、該溝部１７内にボルト１ｂの頭部を嵌合した状態で長さ方向に移動可能とし、該ボルト１ｂを押さえ材３IIIに設けた孔（又は長孔）に挿通させた状態でナット１ｃを締着させて固定することができる。即ちこの取付材１IIIは、その溝部１７に一体的に取り付けたボルト１ｂとナット１ｃとからなる複数部材にて構成されるものである。また、この取付材１IIIの固定部１１及び載置受部１３は、略Ｍ字状に成形された中央に固定部１１が位置し、その左右に僅かに高いレベルに載置受部１３が位置する構成である。
【００４１】
この第３実施例は、前述のように突出部４が押さえ材３IIIに形成された構成であり、しかも前述のように押さえ部材３III自体を長さ方向に移動可能であるため、突出部４を季節や風向きに対して最も効率的に働く位置に適宜に移動させることができる。
【００４２】
図３（ｄ）に示す第４実施例は、押さえ材３IVに突出部４（３４）を一体的に形成する点では、前記第２，３実施例と同様であるが、太陽電池パネル２の左側に位置する水下側の保持構造とほぼ同様の構成であって、この第４実施例における取付材１IVは、断面逆Ｕ字状の台状部材７Ａとほぼ同様であり、それ以外の押さえ補助材６ｂ、固定部材６、ボルトナット７Ｂは、それぞれこの第４実施例における押さえ材３IVを構成する本体、略Ｚ字状材３ｂ、ボルト３ｃ及びナット３ｄに相当する。即ちこの押さえ材３IVは、突出部４（３４）を形成した本体と、略Ｚ字状材３ｂ、ボルト３ｃ及びナット３ｄとからなる複数部材にて構成されるものである。
【００４３】
この第４実施例は、前述のように取付材１IVが断面逆Ｕ字状の台状部材であるため、その第１工程では、下地５にボルト３ｃ及びナット３ｄにてズレ動かない程度に固定しておき、押さえ材取付工程に際して本体３IVや略Ｚ字状材３ｂと共に強固に取り付けるようにすればよい。
そして、この第４実施例では、太陽電池パネル２の水上側と水下側との保持構造が殆ど同一となるため、使用する部材を共有（流用）することもできる。また、ほぼ同様な取付構造にて取り付けられるので、前記第１〜第３実施例に比べて太陽電池パネル２を平滑に維持することができる。
【００４４】
図３（ｅ）に示す第５実施例、及び図３（ｆ）に示す第６実施例は、前記第４実施例と同様に太陽電池パネル２の水上側と水下側との保持構造とほぼ同様にしている点で共通するものであり、押さえ材３Ｖ，３VIに突出部４（３４）を一体的に形成する点でも共通する。
【００４５】
図３（ｅ）の第５実施例における取付材１Ｖは、押さえ材３Ｖを固定する固定受部が上方が開放する嵌合係止溝１８であり、押さえ材３Ｖに形成した下向き楔状の係止部３５と弾性的に係合する以外は、前記第３実施例の取付材１IIIと同様である。なお、太陽電池パネル２の水下側に配設した取付用部材７Ｖは、この取付材１Ｖと全く同様の構成であって、説明を省略するが、部材の流用（共有）も可能である。
また、この第５実施例の押さえ材３Ｖは、前述の係止部３５を有する以外は、前記第４実施例の押さえ材３IV本体と同様である。なお、太陽電池パネル２の水下側に配設した固定６Ｖは、突出部４（３４）を備えない以外はこの押さえ材３Ｖと全く同様の構成であって説明を省略する。
【００４６】
図３（ｆ）の第６実施例における取付材１VIは、水下側の取付用部材を兼ねる部材であり、略中央に設けた隆状部１９に下地５の裏面側から立設させたボルト１ｄを挿通させてナット１ｅにて固定し、さらにその左右にも下地５と接地させた固定部１１，１１を固定具（ビス）１２，１２にて固定している。上方が開放する嵌合係止溝１８を設けた構成は前記第５実施例の取付材１Ｖと同様であり、そこに取り付ける押さえ材３Ｖは前記第５実施例に用いたものと全く同一である。
【００４７】
そして、これらの第５，第６実施例では、前記第４実施例と同様に太陽電池パネル２の水上側と水下側との保持構造が殆ど同一となるため、使用する部材を共有（流用）することもできる。また、ほぼ同様な取付構造にて取り付けられるので、前記第１〜第３実施例に比べて太陽電池パネル２を平滑に維持することができる。
【符号の説明】
【００４８】
１，１II，１III、１IV，１Ｖ，１VI，  取付材
２  太陽電池パネル
３，３II，３III、３IV，３Ｖ  押さえ材
４  突出部
５  下地
６  固定部材
【図１】
2014066020.tif 000003
【図２】
2014066020.tif 000004
【図３】
2014066020.tif 000005